(57)【特許請求の範囲】
【請求項１】
前後に配置され互いに連通する商品の収納部と、各収納部の間を前後に仕切る内扉と、該内扉を上下に回動自在に支持する支持枠と、該支持枠から該内扉の裏側に延在され該内扉の後側収納部への回転を規制する当て板とを備え、該内扉を開放して後側収納部の商品を前側収納部へ搬送する庫内冷却された自動販売機において、
前記支持枠に支持された内扉を前記当て板と間隔をおいて配置した
ことを特徴とする自動販売機。
【発明の詳細な説明】
【０００１】
【発明の属する技術分野】
本発明は、前後に商品の収納部を有し、前側収納部の商品を販売した後、後側収納部の商品を前側収納部に搬送しこれを販売する自動販売機に関するものである。
【０００２】
【従来の技術】
従来、この種の自動販売機として出願人は既に特願平８ー５４９２０号に係る出願を提案している。
【０００３】
まず、自動販売機の構造について説明するに、この自動販売機は、個別に区画された商品収納室を上下複数段に多数配置し、この商品収納室に収納された商品を個別に販売する構造となっている。また、この商品収納室は前後に互いに連通する２個の収納部を有しており、商品を販売するときは、まず、前側収納部の商品を販売し、次いで、空になった前側収納部に後側収納部の商品を搬送させ、この搬送された商品を次回に販売する。
【０００４】
このような販売操作において、前側収納部と後側収納部との間には内扉を有し、この内扉を上下に立設した支持枠に内扉が回動自在に支持しており、後側収納部の商品を前側収納部に搬送するときは、内扉を前方に向かって回転させ、扉開放を行う。一方、閉鎖時は内扉で後側収納部の前面を多い、この後側収容部を隠蔽するとともに、内扉の後方（後側収納部側）への回転を規制するため、支持枠には内扉の裏面に延在した当て板が設けられている。
【０００５】
【発明が解決しようとする課題】
このように内扉の閉鎖時には、当て板により内扉の後方への回転が規制されているが、従来の自動販売機では閉鎖内扉と当て板との間に隙間がなく、これにより、当て板或いは内扉に庫内の水分（商品販売時や商品補充時に庫内に流入した外気中の水分）が氷結するとき、当て板と内扉が一体に氷結し、内扉の開放操作に支障をきたすおそれがあった。
【０００６】
本発明の目的は前記従来の課題に鑑み、内扉及び当て板の氷結に伴う固着を防止し、内扉を確実に開操作できる自動販売機を提供することにある。
【０００７】
【課題を解決するための手段】
本発明は前記課題を解決するため、前後に配置され互いに連通する商品の収納部と、各収納部の間を前後に仕切る内扉と、内扉を上下に回動自在に支持する支持枠と、支持枠から内扉の裏側に延在され内扉の後側収納部への回転を規制する当て板とを備え、内扉を開放して後側収納部の商品を前側収納部へ搬送する庫内冷却された自動販売機において、支持枠に支持された内扉を当て板と間隔をおいて配置した構造となっている。
【０００８】
本発明によれば、内扉を当て板と間隔をおいて配置しているため、内扉又は当て板の一方或いは双方に結露が生じ、これが氷結したとしても、両者が一体に固着されることがない。
【０００９】
【発明の実施の形態】
図１乃至図５は本発明に係る自動販売機の一実施形態を示すもので、図１は自動販売機の正面図、図２は自動販売機の断面図、図３は内扉の設置状態を示す斜視図、図４は内扉の正面図、図５は内扉の側面断面図である。
【００１０】
本発明の自動販売機に係る構造的概要を図１及び図２を参照して説明する。即ち、この自動販売機は縦長の断熱箱にて構成された自動販売機本体１内に前面開口の内箱２を設け、この自動販売機本体１の前面開口を外扉３にて開閉自在としている。また、この自動販売機本体１と内箱２との間に通風ダクト４を形成しており、送風機５にて蒸発器６で冷却された空気を通風ダクト４に循環し（図２の１点鎖線矢印）、庫内冷却を行っている。また、この内箱２の前面開口には中扉７を設ける一方、内箱２の内部には上下及び左右に複数段に多数の商品収納室８を形成し、各商品収納室８と対向する中扉７の部位には商品収納室８の小扉９を設置している。また、この各商品収納室８は、互いに隣接する商品収納室８間で冷気が流通するよう縦横に多数のワイヤ８ａを組み込んで形成している。
【００１１】
なお、自動販売機の前面にはコイン投入口１０、紙幣投入口１１、返却レバー１２、返却口１３、投入金額等を表示するセグメント表示器１４等が設置される一方、小扉９には商品選択を行う選択スイッチ１５が設置されている。ここで、前側の商品Ａを購入するときは、コイン投入口１０に購入商品の金額（或いはそれ以上の金額）のコインを投入し、その後、外扉３を開放し、更に購入商品に対応する選択スイッチ１５を押す。しかる後、この選択スイッチ１５に対応する小扉９を開放し、商品Ａを取り出すようになっている。
【００１２】
このように構成された自動販売機において、前記各商品収納室８は前後に分割して２室構成となっている。この構成を図２乃至図５を参照して詳述する。
【００１３】
この商品収納室８は前後に仕切る仕切り扉機構８１を有し、この仕切り扉機構８１により前後に商品Ａを収納する収納部８２ａ，８２ｂを形成している。また、この仕切り扉機構８１は上下に延びる左右の支持枠８１１ａ，８１１ｂに軸支された内扉８１２を有し、この内扉８１２を上下に回動して後側収納部８２ｂを開閉するようになっている。また、この回転軸８１２ａにはねじりコイルバネ８１２ｂが巻回され、この内扉８１２を開方向に付勢する一方、この内扉８１２の開方向への回転を規制するものとして内扉ソレノイド係止装置８１３を有している。また、各支持枠８１１ａ，８１１ｂは内扉８１２の閉鎖状態で、この裏面に向かって延在された当て板８１１ａ’，８１１ｂ’を有しており、この当て板８１１ａ’，８１１ｂ’により内扉８１２の後側収納部８２ｂ側への回転を規制している。更に、内扉８１２が閉鎖状態となっているとき、図５に示すように、内扉８１２の裏面が当て板８１１ａ’，８１１ｂ’と間隔Ｓをおいて対向するよう配置している。なお、当て板８１１ａ’はソレノイド係止装置８１３を隠蔽するため当て板８１１ｂ’よりも多少大きく形成している。
【００１４】
一方、ソレノイド係止装置８１３はそのプランジャ８１３ａの引っ掛け爪８１５ａを内扉８１２の裏面に突出した係止穴８１５ｂに係脱して内扉８１２を開閉し、この内扉８１２の開動作により後側収納部８２ｂに設置された商品トレー８３１を前方に摺動し、この後側収納部８２ｂの商品Ａが前側収納部８２ａに搬送するようになっている。
【００１５】
本実施形態に係る自動販売機によれば、自動販売機本体１内が庫内冷却されており、外扉開放時等に湿気が入り込み、これが内扉８１２や当て板８１１ａ’，８１１ｂ’で氷結することがあるが、内扉８１２と当て板８１１ａ’，８１１ｂ’との対向部分（図４の破線断面線で表示する部分）が図５に示すように間隔Ｓを有しているため、この対向部分で両者が一体に固着することがない。従って、従来の如き内扉８１２の開放動作不良を起こすことがない。
【００１６】
また、内扉８１２を開方向に付勢するコイルバネ８１２ｂが両者の対向面積が大きい部分、即ち当て板８１１ａ’側と対向する内扉８１２の部位に設置されているため、万が一の氷結固着に対してもコイルバネ８１２ｂの付勢力がこの対向部分に直に作用し、多少の氷結固着ならばこれを確実に解消できる。
【００１７】
【発明の効果】
以上説明したように、本発明によれば、内扉を当て板と間隔をおいて配置しているため、内扉又は当て板の一方或いは双方に結露が生じ、これが氷結したとしても両者が一体に固着されることがない。従って、従来の如き内扉の開放動作不良を起こすことがない。
【図面の簡単な説明】
【図１】自動販売機の正面図
【図２】自動販売機の断面図
【図３】内扉の設置状態を示す斜視図
【図４】内扉の設置状態を示す正面図
【図５】内扉の設置状態を示す側面断面図
【符号の説明】
１…自動販売機本体、８…商品収納室、８２ａ…前側収納部、８２ｂ…後側収納部、８１１ａ，８１１ｂ…支持枠、８１１ａ’，８１１ｂ’…当て板、８１２…内扉、８１２ｂ…コイルバネ、Ａ…商品。
【図１】
0003929131.tif 000002
【図２】
0003929131.tif 000003
【図３】
0003929131.tif 000004
【図４】
0003929131.tif 000005
【図５】
0003929131.tif 000006